(57)【要約】【課題】蓋体が歩行によって外れたり、いたずらで持ち去られてしまい、蓋体のない状態での使用を強いられることのない床用排水材を提供すること。【解決手段】底壁部１１ａの両側縁に側壁部１１ｂ、１１ｃを形成した扁平な溝形成部１１と、この溝形成部１１に被着される蓋部１２とからなり、これら溝形成部１１と蓋部１２を一体成形することにより、蓋部１２の側縁部１２ｂを、床用排水材１の長手方向の全長に亘って、溝形成部１２の一方の側壁部１１ｂに、揺動可能に一体的に取り付ける。【選択図】図１
2008038427.tif 000002
【特許請求の範囲】
【請求項１】
底壁部の両側縁に側壁部を形成した扁平な溝形成部と、該溝形成部に被着される蓋部とからなる床用排水材において、蓋部の側縁部を溝形成部の一方の側壁部に、揺動可能に一体的に取り付けてなることを特徴とする床用排水材。
【請求項２】
溝形成部と蓋部を一体成形することにより、蓋部の側縁部を溝形成部の一方の側壁部に、一体的に取り付けてなることを特徴とする請求項１記載の床用排水材。
【請求項３】
溝形成部と蓋部を個別に成形し、蓋部の側縁部を溝形成部の一方の側壁部に、嵌着又は溶着若しくは接着により一体的に取り付けてなることを特徴とする請求項１記載の床用排水材。
【発明の詳細な説明】
【技術分野】
【０００１】
本発明は、廊下、バルコニー等の床面に直接に取り付けることのできる床用排水材に関し、特に、溝形成部を覆う蓋部を備えた床用排水材に関するものである。
【背景技術】
【０００２】
近年、マンション等の各種コンクリート集合住宅のほとんどでは、屋外廊下に面する住戸居室にもヒートポンプ式冷暖房機の設置が要求されている。そして、これらの室内側から排出されるドレン水の排水対策は、今や不可欠となっている。
このドレン排水対策については、屋外廊下の床コンクリートに溝を掘り、この溝にパイプを埋設するなどの手段があるが、コンクリート躯体にクラックが発生したり、施工が複雑で工事費や工事管理費が割高になるという問題があった。
【０００３】
そこで、屋外廊下に床シートを敷設する一方、この屋外廊下用床シートと略等しい厚さを有し、該床シートとともに屋外廊下の床に貼着される帯状貼着板の表面に、幅方向の略中央に長手方向に浅溝のドレン排水路を形成し、縁部を前記床シートの縁部と当接又は接合するようにした床用排水材が提案されている（例えば、特許文献１参照）。
この床用排水材は、床用排水材を床コンクリートに貼着するだけで、ドレン排水路を設けることができるため、コンクリート躯体に欠損を生じず、また、施工が簡単で工事管理も容易であることから、工事費や工事管理費を低減できるメリットを有している反面、ドレン水が多量の場合にドレン水が浅溝のドレン排水路からあふれ出たり、歩行によってドレン水が飛び散り、床面の汚れや滑りを防止することができないという問題があった。
【０００４】
この問題点に対処するため、ドレン排水路の上部を蓋体にて覆うことにより、ドレン水が多量の場合でも外部への溢流を防止するとともに、歩行によるドレン水の飛び散りをなくし、床面の汚れや滑りを防止することができる床用排水材も提案されている（例えば、特許文献２及び３参照）。
しかしながら、この床用排水材は、蓋体が簡単に着脱できるように構成されているため、蓋体が歩行によって外れたり、いたずらで持ち去られてしまい、蓋体のない状態での使用を強いられ、その結果、床面の汚れや滑りを防止することができないという問題があった。
【特許文献１】特許第２９６６３５２号公報
【特許文献２】特開２００１−３３６２７４号公報
【特許文献３】特開２００３−２６２０３５号公報
【発明の開示】
【発明が解決しようとする課題】
【０００５】
本発明は、上記従来の床用排水材の有する問題点に鑑み、蓋体が歩行によって外れたり、いたずらで持ち去られてしまい、蓋体のない状態での使用を強いられることのない床用排水材を提供することを目的とする。
【課題を解決するための手段】
【０００６】
上記目的を達成するため、本発明の床用排水材は、底壁部の両側縁に側壁部を形成した扁平な溝形成部と、該溝形成部に被着される蓋部とからなる床用排水材において、蓋部の側縁部を溝形成部の一方の側壁部に、揺動可能に一体的に取り付けてなることを特徴とする。
【０００７】
この場合において、溝形成部と蓋部を一体成形することにより、蓋部の側縁部を溝形成部の一方の側壁部に、一体的に取り付けるようにすることができる。
【０００８】
また、溝形成部と蓋部を個別に成形し、蓋部の側縁部を溝形成部の一方の側壁部に、嵌着又は溶着若しくは接着により一体的に取り付けるようにすることができる。
【発明の効果】
【０００９】
本発明の床用排水材によれば、底壁部の両側縁に側壁部を形成した扁平な溝形成部と、該溝形成部に被着される蓋部とからなる床用排水材において、蓋部の側縁部を溝形成部の一方の側壁部に、揺動可能に一体的に取り付けるようにすることにより、従来の床用排水材のように、蓋体が歩行によって外れたり、いたずらで持ち去られてしまい、蓋体のない状態での使用を強いられることがなく、常に、蓋部によって溝形成部を覆うようにすることによって、ドレン水が多量の場合でも外部への溢流を防止するとともに、歩行によるドレン水の飛び散りをなくし、床面の汚れや滑りを防止することができる。
また、蓋部を揺動して開放することによって、溝形成部の溝部の清掃も容易に行うことができ、溝部の詰まりを防止し、衛生的な状態を維持することができる。
【００１０】
また、溝形成部と蓋部を一体成形することにより、１工程で、蓋部の側縁部を溝形成部の一方の側壁部に一体的に取り付けるようにすることができる。
【００１１】
また、溝形成部と蓋部を個別に成形し、蓋部の側縁部を溝形成部の一方の側壁部に、嵌着又は溶着若しくは接着により一体的に取り付けるようにすることにより、溝形成部及び蓋部の成形方法や構成材料の選択の自由度を高めることができる。
【発明を実施するための最良の形態】
【００１２】
以下、本発明の床用排水材の実施の形態を、図面に基づいて説明する。
【実施例１】
【００１３】
図１〜図２に、本発明の床用排水材の第１実施例を示す。
この床用排水材１は、例えば、図２に示すように、廊下、バルコニー等の床２の表面に、床シート３を敷設するのに合わせて、廊下、バルコニー等の床２を横切るように、貼着等によって直接に取り付けるようにするもので、このとき、床用排水材１は、その一端にヒートポンプ式冷暖房機等の排水ホース４を接続し、他端を側溝５に接続するようにする。
【００１４】
そして、図１（ａ）に示すように、床用排水材１は、底壁部１１ａの両側縁に側壁部１１ｂ、１１ｃを形成した扁平な溝形成部１１と、この溝形成部１１に被着される蓋部１２とからなり、これら溝形成部１１と蓋部１２を押出成形等によって一体成形することにより、蓋部１２の側縁部１２ｂを、床用排水材１の長手方向の全長に亘って、溝形成部１１の一方の側壁部１１ｂに、揺動可能に一体的に取り付けるようにしている。
ここで、「扁平」とは、床シート３の厚みの１〜３倍程度、より具体的には、４〜１０ｍｍ程度、好ましくは、４〜８ｍｍ程度をいう。
このように、溝形成部１１と蓋部１２を一体成形することにより、床用排水材１を１工程で成形することができる。
【００１５】
床用排水材１は、軟質、半軟質、硬質の任意の合成樹脂、例えば、塩化ビニル、酢酸ビニル等のビニル系樹脂、ポリエチレン、ポリプロピレン等のオレフィン系樹脂、エチレン−酢酸ビニル等の共重合体樹脂等の熱可塑性樹脂やゴム等の任意の材料によって構成することができる。
【００１６】
この場合、揺動部（屈曲部）となる溝形成部１１の一方の側壁部１１ｂに取り付ける蓋部１２の側縁部１２ｂの部分は、他の箇所より薄肉に形成するようにし、さらに、部分的に（又は床用排水材１の全体を）比較的柔軟な材料で構成することが望ましい。
なお、揺動部（屈曲部）となる溝形成部１１の一方の側壁部１１ｂに取り付ける蓋部１２の側縁部１２ｂの部分は、図１（ａ）に示すように、覆部１２ａと表面が面一になるように構成するほか、例えば、図１（ｂ）に示す第１変形実施例のように、覆部１２ａの表面より窪ませて構成し、摩耗や損傷を受けにくい構造とすることもできる。
【００１７】
溝部１３を構成する溝形成部１１の内面には、界面活性剤（親水性物質）及び／又は防汚性機能剤を付与（塗布又は表面層を構成する材料に混入）することができ、これにより、ドレン水の独立した水滴化を防止し、量の多少に関わらずドレン水を円滑に流出させることができ、また、溝部１３にカビ等が発生するのを防止することができる。
【００１８】
蓋部１２を揺動して開放される側の溝形成部１１の側壁部１１ｃ及び蓋部１２の側縁部１２ｃには、嵌合爪等の嵌合機構等からなる係止部１４を設けることにより、歩行によって蓋部１２が揺動して開放されないようにすることが好ましい。
なお、係止部１４は、図１（ａ）に示すように、蓋部１２の側縁部１２ｃが溝部１３の外側に位置するように構成するほか、例えば、図１（ｃ）に示す第２変形実施例のように、蓋部１２の側縁部１２ｃが溝部１３に入り込むように構成することもできる。
【００１９】
蓋部１２の覆部１２ａの表面には、複数条（本実施例においては、３本）の突条１２ｄを形成するようにし、これにより、歩行時の滑り止めと蓋部１２の剛性の向上を図るようにすることが好ましい。
また、蓋部１２の覆部１２ａの裏面には、複数条（本実施例においては、３本）の突条１２ｅを形成するようにし、これにより、蓋部１２の剛性の向上と歩行によって蓋部１２が踏みつけられたときの蓋部１２の変形の防止を図るようにすることもできる。
そして、蓋部１２の覆部１２ａの裏面に形成する突条１２ｅは、その先端が、通常は、溝形成部１１の底壁部１１ａの内表面との間に隙間を形成し、ドレン水を円滑に流出させることができるようにし、歩行によって蓋部１２が踏みつけられたときに、溝形成部１１の底壁部１１ａの内表面に当接し、蓋部１２を支持することにより、蓋部１２のそれ以上の変形を防止できるように、その突出長を設定するようにすることが好ましい。
【００２０】
この床用排水材１によれば、従来の床用排水材のように、蓋体が歩行によって外れたり、いたずらで持ち去られてしまい、蓋体のない状態での使用を強いられることがなく、常に、蓋部１２によって溝形成部１１を覆うようにすることによって、ドレン水が多量の場合でも外部への溢流を防止するとともに、歩行によるドレン水の飛び散りをなくし、床面の汚れや滑りを防止することができる。
また、蓋部１２を揺動して開放することによって、溝形成部１１の溝部１３の清掃も容易に行うことができ、溝部１３の詰まりを防止し、衛生的な状態を維持することができる。
【実施例２】
【００２１】
図３に、本発明の床用排水材の第２実施例を示す。
この床用排水材は、図３（ａ）に示すように、底壁部１１ａの両側縁に側壁部１１ｂ、１１ｃを形成した扁平な溝形成部１１と、この溝形成部１１に被着される蓋部１２とからなり、これら溝形成部１１と蓋部１２を押出成形等によってそれぞれ個別に成形し、蓋部１２の側縁部１２ｂを、床用排水材１の長手方向の全長に亘って、溝形成部１１の一方の側壁部１１ｂに、嵌着部１５を介して、揺動可能に一体的に取り付けるようにしている。
これにより、溝形成部１１及び蓋部１２の成形方法や構成材料の選択の自由度を高めることができる。
さらに、溝形成部１１と蓋部１２を半硬質若しくは軟質の材料で形成すると、床用排水材１の流通時に溝形成部１１と蓋部１２をそれぞれ別に巻き取って効率的に輸送、保管することもできる。
【００２２】
この場合、嵌着部１５は、特にこれに限定されるものではないが、例えば、溝形成部１１の側壁部１１ｂに形成した鍵穴状（又は蟻溝状）の溝部１５ａに、蓋部１２の側縁部１２ｂの外側に形成した溝部１５ａと合致する形状の突条部１５ｂを、溝形成部１１の端面側から差し込むことにより、溝形成部１１と蓋部１２を一体的に取り付けるものである。
これにより、床用排水材１を床２の表面に取り付けた状態では、溝形成部１１から蓋部１２が歩行によって外れたり、蓋部１２がいたずらで持ち去られてしまうことがないようにすることができる。
なお、本実施例においては、第１実施例の床用排水材と同様、溝形成部１１の一方の側壁部１１ｂに取り付ける蓋部１２の側縁部１２ｂの部分を揺動部（屈曲部）として構成したが、嵌着部１５を溝形成部１１に対する蓋部１２の揺動を許容する構造とすることによって、嵌着部１５を揺動部として構成することもできる。
【００２３】
嵌着部１５は、図３（ａ）に示すように、溝部１５ａが上向きに開口する構造とするほか、例えば、図３（ｂ）に示す第１変形実施例のように、溝部１５ａが横向きに開口する構造とすることもできる。
また、嵌着部１５に代えて、図３（ｃ）に示す第２変形実施例のように、溶着部１６（又は接着部）を介して、すなわち、蓋部１２の側縁部１２ｂを溝形成部１１の一方の側壁部１１ｂに溶着又は接着することにより、押出成形等によってそれぞれ個別に成形した溝形成部１１と蓋部１２を一体的に取り付けるようにすることもできる。
【００２４】
なお、本実施例の床用排水材のその他の構成及び作用は、第１実施例の床用排水材と同様である。
【００２５】
以上、本発明の床用排水材について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２６】
本発明の床用排水材は、蓋体が歩行によって外れたり、いたずらで持ち去られてしまい、蓋体のない状態での使用を強いられることのないことから、共用スペースの廊下やバルコニー等の床面に取り付けられる床用排水材の用途に好適に用いることができる。
【図面の簡単な説明】
【００２７】
【図１】本発明の床用排水材の第１実施例を示し、（ａ）は断面図、（ｂ）はその第１変形実施例の断面図、（ｃ）はその第２変形実施例の断面図である。
【図２】床用排水材の使用状態を示す説明図である。
【図３】本発明の床用排水材の第２実施例を示し、（ａ）は断面図、（ｂ）はその第１変形実施例の断面図、（ｃ）はその第２変形実施例の断面図である。
【符号の説明】
【００２８】
１    床用排水材
１１  溝形成部
１１ａ  底壁部
１１ｂ  側壁部
１１ｃ  側壁部
１２  蓋部
１２ａ  覆部
１２ｂ  側縁部
１２ｃ  側縁部
１３  溝部
１４  係止部
１５  嵌着部
１５ａ  溝部
１５ｂ  突条部
１６  溶着部（又は接着部）
２    床
３    床シート
４    排水ホース
５    側溝
【図１】
2008038427.tif 000003
【図２】
2008038427.tif 000004
【図３】
2008038427.tif 000005